(57)【要約】【課題】斜め方向に配光性の高い光を出射させること。【解決手段】実施形態の面状照明装置は、光源と、導光板とを備える。光源は、所定の方向に光を出射する。導光板は、側面と、一方の主面である出射面と、他方の主面である裏面とを有し、裏面または出射面に錐形状の光偏向部が形成され、光源から側面に入射される光を出射面から出射する。そして、光偏向部が形成される面を平面視した場合に、光偏向部の頂点が、光偏向部の底面における対角線、または光偏向部の底面に内接する多角形の対角線を基準として描いた外接長方形の中心に対して、外接長方形の一辺と平行な向きにシフトして配置される。【選択図】図１
2018198152.tif 000002
【特許請求の範囲】
【請求項１】
所定の方向に光を出射する光源と、
側面と、一方の主面である出射面と、他方の主面である裏面とを有し、前記裏面または前記出射面に錐形状の光偏向部が形成され、前記光源から前記側面に入射される光を前記出射面から出射する導光板と、
を備え、
前記光偏向部が形成される面を平面視した場合に、前記光偏向部の頂点が、前記光偏向部の底面における対角線、または前記光偏向部の底面に内接する多角形の対角線を基準として描いた外接長方形の中心に対して、前記外接長方形の一辺と平行な向きにシフトして配置される
面状照明装置。
【請求項２】
所定の方向に光を出射する光源と、
側面と、一方の主面である出射面と、他方の主面である裏面とを有し、前記裏面または前記出射面に錐形状の光偏向部が形成され、前記光源から前記側面に入射される光を前記出射面から出射する導光板と、
を備え、
前記光偏向部が形成される面を平面視した場合に、前記光偏向部の底面における対角線、または前記光偏向部の底面に内接する多角形の対角線が、前記所定の方向に対して傾斜する
面状照明装置。
【請求項３】
前記光偏向部は、
前記光偏向部が形成される面を平面視した場合に、前記光偏向部の底面における対角線、または前記光偏向部の底面に内接する多角形の対角線が、前記所定の方向に対して傾斜する
請求項１に記載の面状照明装置。
【請求項４】
前記光偏向部は、
四角錐形状を有し、前記頂点が、前記外接長方形の前記中心に対して、前記外接長方形の短辺と平行な方向にシフトして配置される
請求項１または３に記載の面状照明装置。
【請求項５】
前記光偏向部は、
前記頂点が、前記外接長方形の短辺と平行な方向のうち、前記外接長方形の前記中心に対して、前記出射面から出射された光が受光されるエリアである受光エリアから遠ざかる方向にシフトして配置される
請求項４に記載の面状照明装置。
【請求項６】
前記光偏向部は、
斜面が曲面となる錐体形状を有し、前記頂点が、前記外接長方形の前記中心に対して、前記外接長方形の短辺と平行な方向にシフトして配置される
請求項１または３に記載の面状照明装置。
【請求項７】
前記光偏向部は、
前記頂点が、前記外接長方形の短辺と平行な方向のうち、前記外接長方形の前記中心に対して、前記出射面から出射された光が受光されるエリアである受光エリアに近づく方向にシフトして配置される
請求項６に記載の面状照明装置。
【発明の詳細な説明】
【技術分野】
【０００１】
本発明は、面状照明装置に関する。
【背景技術】
【０００２】
従来、自動車内に設けられるサンバイザーに付属するバニティーミラーを使用する際に、バニティーミラーの前方にある使用者の顔面などを照らす面状照明装置が提供されている。
【先行技術文献】
【特許文献】
【０００３】
【特許文献１】実開平１−９４１２０号公報
【発明の概要】
【発明が解決しようとする課題】
【０００４】
しかしながら、かかる面状照明装置はバニティーミラーに隣接して設けられており、バニティーミラーの前方に向かって斜め方向に光を出射させる必要があることから、高い配向性を実現させることが困難であった。したがって、バニティーミラーの前方以外の箇所にも光が照射されることにより、対向車などから自車内の様子が見えてしまう場合があった。
【０００５】
本発明は、上記に鑑みてなされたものであって、斜め方向に配光性の高い光を出射させることができる面状照明装置を提供することを目的とする。
【課題を解決するための手段】
【０００６】
上述した課題を解決し、目的を達成するために、本発明の一態様に係る面状照明装置は、光源と、導光板とを備える。前記光源は、所定の方向に光を出射する。前記導光板は、側面と、一方の主面である出射面と、他方の主面である裏面とを有し、前記裏面または前記出射面に錐形状の光偏向部が形成され、前記光源から前記側面に入射される光を前記出射面から出射する。そして、前記光偏向部が形成される面を平面視した場合に、前記光偏向部の頂点が、前記光偏向部の底面における対角線、または前記光偏向部の底面に内接する多角形の対角線を基準として描いた外接長方形の中心に対して、前記外接長方形の一辺と平行な向きにシフトして配置される。
【発明の効果】
【０００７】
本発明の一態様によれば、斜め方向に配光性の高い光を出射させることができる。
【図面の簡単な説明】
【０００８】
【図１】図１は、実施形態に係るサンバイザーを説明するための図である。
【図２Ａ】図２Ａは、実施形態に係る面状照明装置の正面図である。
【図２Ｂ】図２Ｂは、図２ＡにおけるＡ−Ａ線の断面図である。
【図２Ｃ】図２Ｃは、実施形態に係る光偏向部の平面図である。
【図２Ｄ】図２Ｄは、実施形態に係る光偏向部の平面図である。
【図２Ｅ】図２Ｅは、実施形態に係る導光板および光偏向部の側面図である。
【図３】図３は、光偏向部における頂点のシフト量が−０．９の場合における光偏向部の回転角度と配光分布との関係を示す図である。
【図４】図４は、光偏向部における頂点のシフト量が−０．４６の場合における光偏向部の回転角度と配光分布との関係を示す図である。
【図５】図５は、光偏向部における頂点のシフト量が０の場合における光偏向部の回転角度と配光分布との関係を示す図である。
【図６Ａ】図６Ａは、実施形態の変形例に係る光偏向部の平面図である。
【図６Ｂ】図６Ｂは、実施形態の変形例における配光分布を示す図である。
【図７Ａ】図７Ａは、参考例１における光偏向部の平面図である。
【図７Ｂ】図７Ｂは、参考例１における配光分布を示す図である。
【図８Ａ】図８Ａは、参考例２における光偏向部の平面図である。
【図８Ｂ】図８Ｂは、参考例２における配光分布を示す図である。
【発明を実施するための形態】
【０００９】
以下、実施形態に係る面状照明装置について図面を参照して説明する。なお、以下に説明する実施形態により面状照明装置の用途が限定されるものではない。また、図面は模式的なものであり、各要素の寸法の関係、各要素の比率などは、現実と異なる場合があることに留意する必要がある。さらに、図面の相互間においても、互いの寸法の関係や比率が異なる部分が含まれている場合がある。
【００１０】
（実施形態）
まず、実施形態に係る面状照明装置３０が設けられるサンバイザー１の概要について、図１を参照しながら説明する。図１は、実施形態に係るサンバイザー１を説明するための図である。
【００１１】
図１に示すように、サンバイザー１は、基体１０と、バニティーミラー２０と、面状照明装置３０と、蓋体４０とを備える。サンバイザー１は、たとえば、自動車の運転席や助手席の上方に設けられる。
【００１２】
なお、以下においては、説明の便宜上、面状照明装置３０に対してバニティーミラー２０が配置される方向をＸ軸正方向とし、バニティーミラー２０が向いている方向をＺ軸正方向とし、Ｘ軸方向とＺ軸方向の双方に直交する方向をＹ軸方向とする。
【００１３】
サンバイザー１は、たとえば、自動車内の天井部分にヒンジを介して取り付けられており、かかるヒンジの部分で基体１０を回転させることによって、日差しを遮ることができる。基体１０は、可視光を透過しない材料で構成される。
【００１４】
バニティーミラー２０は、鏡面を有し、基体１０の一方の面（たとえば、基体１０が日差しを遮る位置に回転している場合に、使用者に対向する面）に設けられる。面状照明装置３０は、基体１０においてバニティーミラー２０が設けられる面に設けられ、たとえば、バニティーミラー２０に隣接して配置される。面状照明装置３０は、たとえば、図１に示すように、バニティーミラー２０の側方（図１ではＸ軸負方向側）に配置される。
【００１５】
蓋体４０は、基体１０においてバニティーミラー２０が設けられる面に開閉可能に設けられる。そして、蓋体４０が閉状態の場合には、かかる蓋体４０によりバニティーミラー２０と面状照明装置３０とが覆われ、開状態の場合には、使用者がバニティーミラー２０を用いることができる。なお、蓋体４０が開状態であることを検知して、面状照明装置３０に電力を供給し、面状照明装置３０から光が出射されるようにしてもよい。
【００１６】
ここで、使用者は、バニティーミラー２０の中央部２０ａから、バニティーミラー２０の正面方向（図ではＺ軸正方向）にあり、出射面３２ｂ（図２Ａ参照）から出射された光が受光されるエリアである受光エリア５０に顔面などを持って行くことにより、かかる顔面などを目視することができる。したがって、面状照明装置３０は、斜め前方（図ではＺ軸正方向かつＸ軸正方向）にある受光エリア５０の中央部５０ａに向かって光を出射する。換言すると、面状照明装置３０は、出射面３２ｂが向かう方向とは傾いた方向に光を出射する。
【００１７】
つづいて、実施形態にかかる面状照明装置３０の詳細について、図２Ａおよび図２Ｂを参照しながら説明する。図２Ａは、実施形態に係る面状照明装置３０の正面図であり、図２Ｂは、図２ＡにおけるＡ−Ａ線の断面図である。図２Ａに示すように、面状照明装置３０は、光源３１と、導光板３２とを有する。
【００１８】
光源３１は、出光面３１ａを有し、かかる出光面３１ａから導光板３２の側面３２ａに対して、所定の方向Ｂ（図ではＹ軸負方向）に向かう光を出射する。光源３１は、たとえば、ＬＥＤ（Ｌｉｇｈｔ  Ｅｍｉｔｔｉｎｇ  Ｄｉｏｄｅ）を配置することにより構成される点状光源である。なお、本実施形態では、製造コスト低減のため、光源３１は１個のＬＥＤから構成されるが、光源を構成するＬＥＤの数は特に限定されず、例えば２個以上のＬＥＤから光源３１を構成してもよい。また、光源３１は、点状光源に限らず、例えば、ＬＥＤと棒状の導光部材であるライトバーとにより構成され、かかるライトバーにより点状の光を線状の光に変換する線状光源であってもよい。光源３１は、他の形式の光源であってもよい。
【００１９】
導光板３２は、上面視で矩形状に形成されており、光源３１の出光面３１ａに向かい合う側面３２ａと、主面３２ｂと、かかる主面３２ｂとは反対側の主面３２ｃとを有する。側面３２ａは、Ｘ軸方向に延伸する短冊状の面である。側面３２ａには、光源３１から所定の方向Ｂに向かう光が入射される。
【００２０】
主面３２ｂ、３２ｃは、ＸＹ平面に沿って広がる矩形状の面である。主面３２ｂは、側面３２ａから入射された光が出射される出射面である。そのため、以下の説明では、主面３２ｂを「出射面３２ｂ」と表記する。また、裏側の主面３２ｃを「裏面３２ｃ」と表記する。
【００２１】
導光板３２は、透明材料（たとえば、ポリカーボネート樹脂）で構成されており、所望の透光性を有する。出射面３２ｂおよび裏面３２ｃは、所定の方向Ｂと略平行に配置される。また、裏面３２ｃには、かかる裏面３２ｃからドット状に突出する複数の光偏向部３３がマトリックス状に並んで形成される。つづいて、導光板３２に形成される光偏向部３３の詳細について、図２Ｃ〜図２Ｅを参照しながら説明する。
【００２２】
図２Ｃは、実施形態に係る光偏向部３３の平面図であり、光偏向部３３の詳細な形状について示している。なお、図２Ｃは、光偏向部３３を裏面３２ｃ側から見た場合の平面図である。
【００２３】
実施形態に係る光偏向部３３は、四角錐形状であり、底面３３ａと、頂点３３ｂとを有する。そして、図２Ｃに示すように、光偏向部３３の頂点３３ｂは、底面３３ａにおける対角線３３ｃ、３３ｄを基準として描いた外接長方形Ｃの中心Ｃ１から所定の向きにシフトして配置される。かかる外接長方形Ｃは仮想線で形成される四角形であり、たとえば、短辺Ｃ２が対角線３３ｃと平行になり、長辺Ｃ３が対角線３３ｄと平行になるように描かれる。
【００２４】
そして、頂点３３ｂは、裏面３２ｃを平面視した場合に、外接長方形Ｃの中心Ｃ１から、外接長方形Ｃの一辺（短辺Ｃ２または長辺Ｃ３）と平行な向きに（すなわち、対角線３３ｃまたは対角線３３ｄに沿って）シフトして配置される。図２Ｃに示す例では、頂点３３ｂは、中心Ｃ１から外接長方形Ｃの短辺Ｃ２と平行な向きにシフトして配置されている。また、頂点３３ｂは、外接長方形Ｃの短辺Ｃ２と平行な向きのうち、図１に示す受光エリア５０から遠ざかる方向にシフトして配置されるとよい。
【００２５】
たとえば、外接長方形Ｃの中心Ｃ１から長辺Ｃ３までの距離をＬ１とし、中心Ｃ１を基準とした頂点３３ｂのシフト距離をＬ２とした場合、頂点３３ｂのシフト量Ｓは、下記の式（１）で算出される。
Ｓ＝Ｌ２／Ｌ１  ・・・（１）
【００２６】
ここで、かかるシフト量Ｓは、Ｘ軸正方向にシフトした場合（すなわち受光エリア５０に近づく方向にシフトした場合）にはプラスの値になり、Ｘ軸負方向にシフトした場合（すなわち受光エリア５０から遠ざかる方向にシフトした場合）にはマイナスの値になるとみなす。すなわち、頂点３３ｂのシフト量Ｓは−１．０≦Ｓ≦１．０の範囲となる。そして、実施形態では、頂点３３ｂのシフト量Ｓを−１．０≦Ｓ≦０の範囲にするとよい。
【００２７】
図２Ｄは、実施形態に係る光偏向部３３の平面図であり、光偏向部３３の詳細な向きについて示している。なお、図２Ｄは図２Ｃと同様、光偏向部３３を裏面３２ｃ側から見た場合の平面図である。
【００２８】
図２Ｄに示すように、実施形態に係る光偏向部３３は、所定の方向Ｂから傾いて配置されるとよい。すなわち、裏面３２ｃを平面視した場合に、所定の方向Ｂと対角線３３ｄとが傾斜して配置されるとよい。具体的には、底面３３ａを形成する四角形の４つの頂点のうち、光源３１に最も近い点３３ｅが、受光エリア５０から遠ざかる方向（すなわちＸ軸負方向）に回転するように配置されるとよい。
【００２９】
ここで、頂点３３ｂを通過し所定の方向Ｂと平行である軸Ｄと、対角線３３ｄとの成す角が角度θ（以下、回転角度θとも呼称する。）である場合に、点３３ｅがＸ軸正方向に回転した場合にはプラスの値になり、Ｘ軸負方向に回転した場合にはマイナスの値になるとみなす。そして、実施形態では、回転角度θを−９０°≦θ≦０°の範囲にするとよい。
【００３０】
これにより、図２Ｄに示すように、ＸＹ平面視において、所定の方向Ｂに沿って光偏向部３３に入射する光１００が、光偏向部３３における光源３１から遠い側の斜面３３ｆで反射して光１０１となり、さらにかかる光１０１が斜面３３ｆに隣接する斜面３３ｇで反射して、Ｘ軸正方向である出射方向に向かう光１０２となる。
【００３１】
また、ＹＺ平面視においても、図２Ｅに示すように、光偏向部３３に入射する光１００が斜面３３ｆで反射して光１０１となり、さらにかかる光１０１が斜面３３ｇで反射して、Ｚ軸正方向である出射方向に向かう光１０２となる。図２Ｅは、実施形態に係る導光板３２および光偏向部３３の側面図である。
【００３２】
つづいて、図３〜図５を参照しながら、光偏向部３３における頂点３３ｂのシフト量Ｓおよび回転角度θを様々な値に変更した場合において、面状照明装置３０の配光分布がどのように変化するのかについて説明する。図３は、光偏向部３３における頂点３３ｂのシフト量Ｓが−０．９の場合における光偏向部３３の回転角度θと配光分布との関係を示す図である。なお、図３〜図５に示す配光分布は、面状照明装置３０の斜め前方にある受光エリア５０における使用者から見た場合の光の強度分布であり、色が濃いほど光の強度が強いことを示している。また、図３〜図５には、受光エリア５０の中央部５０ａに対応するターゲットエリアについても、四角枠として記載している。
【００３３】
図３に示すように、頂点３３ｂのシフト量Ｓが−０．９である場合には、回転角度θが−６０°、−４５°および−２８．６°の場合に、所定のターゲットエリアに対して配光性が高い光を出射させることができる。
【００３４】
図４は、光偏向部３３における頂点３３ｂのシフト量Ｓが−０．４６の場合における光偏向部３３の回転角度θと配光分布との関係を示す図である。図４に示すように、頂点３３ｂのシフト量Ｓが−０．４６である場合には、回転角度θが−４５°、−２８．６°および０°の場合に、所定のターゲットエリアに対して配光性が高い光を出射させることができる。特に、回転角度θが−２８．６°の場合に、所定のターゲットエリアに対して最も配光性が高い光を出射させることができる。
【００３５】
図５は、光偏向部３３における頂点３３ｂのシフト量Ｓが０の場合における光偏向部３３の回転角度θと配光分布との関係を示す図である。図５に示すように、頂点３３ｂのシフト量Ｓが０である（すなわち、頂点３３ｂがシフトしていない）場合には、回転角度θが−２８．６°の場合に、所定のターゲットエリアに対して配光性が高い光を出射させることができる。
【００３６】
ここまで説明したように、実施形態によれば、光偏向部３３の頂点３３ｂを、外接長方形Ｃの中心Ｃ１から、外接長方形Ｃの短辺Ｃ２と平行な向きのうち、受光エリア５０から遠ざかる方向にシフトさせると（すなわちシフト量Ｓがマイナス）、斜め方向に配光性が高い光を出射させることができる。
【００３７】
また、実施形態によれば、光偏向部３３の点３３ｅを、Ｘ軸負方向に回転させると（すなわち回転角度θがマイナス）、斜め方向に配光性が高い光を出射させることができる。
【００３８】
さらに、実施形態によれば、光偏向部３３の頂点３３ｂを外接長方形Ｃの中心Ｃ１から、外接長方形Ｃの短辺Ｃ２と平行な向きのうち、受光エリア５０から遠ざかる方向にシフトさせる（すなわちシフト量Ｓがマイナス）とともに、光偏向部３３の点３３ｅを、Ｘ軸負方向に回転させる（すなわち回転角度θがマイナス）と、斜め方向にさらに配光性が高い光を出射させることができる。なお、図３〜図５の組み合わせの中では、図４における「シフト量Ｓ：−０．４６、回転角度θ：−２８．６°」の組み合わせが所定のターゲットエリアに対して最も配光性が良好であった。
【００３９】
また、実施形態にかかる面状照明装置３０は、出射面３２ｂ側に配光制御用の光学シート（たとえばプリズムシート）を設けることなく斜め方向への配光が可能になるので、製造コストを低減することができる。
【００４０】
また、実施形態にかかる面状照明装置３０では、図２Ａに示したように、光偏向部３３の形状および向きが均等であってもよいし、光偏向部３３の形状や向きが均等でなくともよい。たとえば、導光板３２における光偏向部３３の位置によって、シフト量Ｓや回転角度θを適宜変更させながら光偏向部３３を形成することにより、斜め方向にさらに配光性の高い光を出射させることができる。また、受光エリア５０のターゲットエリアが本実施形態とは異なる位置に設定される場合であっても、光偏向部３３のシフト量や回転角度θを適宜変更することで、所望の方向や位置に光を配向させることができる。
【００４１】
（変形例）
以降においては、実施形態の変形例について説明する。なお、以降の説明では実施形態と同じ部位については同じ符号を付し、重複する説明については省略する場合がある。
【００４２】
図６Ａは、実施形態の変形例に係る光偏向部３４の平面図であり、実施形態における図２Ｃおよび図２Ｄに対応する図面である。かかる変形例において、光偏向部３４は斜面が曲面となる錐体形状（以下、略円錐形状と呼称する。）であり、底面３４ａと、頂点３４ｂとを有する。
【００４３】
底面３４ａは、高い配光性が得られた四角錐の底面３３ａの４つの頂点を滑らかに結ぶ曲線（たとえばスプライン曲線）で囲まれる形状であり、実施形態における底面３３ａに対応する内接四角形３４ａ１を有する。なお、かかる内接四角形３４ａ１は仮想線で形成される四角形である。
【００４４】
すなわち、底面３４ａに内接する多角形である内接四角形３４ａ１の対角線３４ｃ、３４ｄは、実施形態における底面３３ａの対角線３３ｃ、３３ｄに対応する。そして、光偏向部３４は、実施形態と同じ方向、すなわち所定の方向Ｂと平行である軸Ｄと対角線３４ｄとの成す回転角度θがマイナスとなる方向に回転している。
【００４５】
一方で、光偏向部３４が略円錐形状である場合には、図６Ａに示すように、光偏向部３４の頂点３４ｂを、内接四角形３４ａ１の対角線３４ｃ、３４ｄを基準として描いた外接長方形Ｃの中心Ｃ１に対して、外接長方形Ｃの短辺Ｃ２と平行な向きにシフトして配置している。また、頂点３４ｂは、外接長方形Ｃの短辺Ｃ２と平行な向きのうち、図１に示す受光エリア５０に近づく方向（すなわち、シフト量Ｓがプラスとなる方向）にシフトして配置されるとよい。すなわち、光偏向部３４が略円錐形状の場合には、光偏向部３３が略四角錐形状の場合と逆の方向に頂点３４ｂをシフトさせるとよい。
【００４６】
これにより、図６Ｂに示すように、受光エリア５０の中央部５０ａに対応するターゲットエリア（図６Ｂに菱形枠として記載。図７Ｂおよび図８Ｂについても同様。）に対して配光性が高い光を出射させることができる。図６Ｂは、実施形態の変形例における配光分布を示す図である。さらに、かかる変形例では、光偏向部３４が略円錐形状であるため、反射面である斜面の向きが連続的に変化していることから、四角錐形状である上述の実施形態と比較して、受光エリア５０の中央部５０ａに対応するターゲットエリアにより集中的に光を配向させることができる。
【００４７】
図７Ａは、参考例１における光偏向部３５の拡大図であり、図７Ｂは、参考例１における配光分布を示す図である。図７Ａに示すように、参考例１における光偏向部３５は、底面３５ａと頂点３５ｂとを有し、かかる頂点３５ｂが外接長方形Ｃの中心Ｃ１に対してシフトしておらず、さらに底面３５ａに内接する内接四角形３５ａ１における対角線３５ｄの向きが所定の方向Ｂに対して傾いていない。
【００４８】
そして、かかる光偏向部３５を形成した面状照明装置３０では、図７Ｂに示すように、出射される光の配光性が低下してしまう。
【００４９】
図８Ａは、参考例２における光偏向部３６の拡大図であり、図８Ｂは、参考例２における配光分布を示す図である。図８Ａに示すように、参考例２における光偏向部３６は、底面３６ａと頂点３６ｂとを有し、底面３６ａに内接する内接四角形３６ａ１における対角線３６ｄが所定の方向Ｂに対して変形例と同じ方向に回転している。
【００５０】
一方で、頂点３６ｂが、外接長方形Ｃの中心Ｃ１から、外接長方形Ｃの短辺Ｃ２と平行な向きのうち、受光エリア５０から遠ざかる方向（すなわち、シフト量Ｓがマイナスとなる方向）にシフトしている。そして、かかる光偏向部３６を形成した面状照明装置３０では、図８Ｂに示すように、出射される光が受光エリア５０のターゲットエリアから大きく外れてしまう。
【００５１】
ここまで説明したように、光偏向部３４を略円錐形状にする場合には、光偏向部３４の底面３４ａに内接する内接四角形３４ａ１における４つの頂点のうち、光源３１に最も近い点をＸ軸負方向に回転させるとともに、頂点３４ｂを外接長方形Ｃの中心Ｃ１から、外接長方形Ｃの短辺Ｃ２と平行な向きのうち、図１に示す受光エリア５０に近づく方向（すなわち、シフト量がプラスとなる方向）にシフトさせるとよい。
【００５２】
上述したように、実施形態によれば、導光板３２の裏面３２ｃを平面視した場合に、かかる裏面３２ｃに形成される光偏向部３３の頂点３３ｂが、光偏向部３３の底面３３ａにおける対角線３３ｃ、３３ｄを基準として描いた外接長方形Ｃの中心Ｃ１に対して、外接長方形Ｃの短辺Ｃ２と平行にシフトして配置されることにより、斜め方向に配光性の高い光を出射させることができる。
【００５３】
なお、上記の実施形態では、光偏向部３３、３４を導光板３２の裏面３２ｃに形成する例について示したが、光偏向部３３、３４は導光板３２の出射面３２ｂに形成してもよい。光偏向部３３、３４を導光板３２の出射面３２ｂに形成した場合でも、実施形態と同様に斜め方向に配光性の高い光を出射させることができる。
【００５４】
なお、光偏向部３３、３４を導光板３２の出射面３２ｂに形成する場合には、光を反射する反射シートなどを裏面３２ｃに設けることにより、導光板３２内の光を出射面３２ｂ側に効率よく反射させるとよい。
【００５５】
また、上記の実施形態では、光偏向部３３、３４が四角錐形状または略円錐形状である場合について示したが、導光板３２に形成される光偏向部は四角錐形状や略円錐形状に限られず、錐形状であればどのような形状であってもよい。
【００５６】
さらに、上記の実施形態では、面状照明装置３０がサンバイザー１に設置された例について示したが、面状照明装置３０をサンバイザー１以外に設置してもよい。たとえば、洗面台の鏡や化粧鏡などに隣接するように面状照明装置３０を設けてもよい。
【００５７】
さらに、上記の実施形態では、面状照明装置３０がサンバイザー１に１個設けられた例について示したが、面状照明装置３０をサンバイザー１に複数個設けてもよい。たとえば、バニティーミラー２０の両側に一対の面状照明装置３０を設けてもよい。なお、この場合、光偏向部３３、３４の形状および向きを左右対称にすることにより、配光性が左右対称である一対の面状照明装置３０を設けるとよい。
【００５８】
さらに、一対の面状照明装置３０をバニティーミラー２０の両側に設ける場合などにおいて、一方の面状照明装置３０では導光板３２の裏面３２ｃ側に光偏向部３３、３４を設け、他方の面状照明装置３０では裏表を反転させた導光板３２を使用してもよい。
【００５９】
このように、一対の面状照明装置３０において、導光板３２をそれぞれ裏表に反転させるように配置することにより、導光板３２を２個分設計する必要がなくなることから、面状照明装置３０の設計コストを低減することができる。
【００６０】
以上のように、実施形態に係る面状照明装置３０は、光源３１と、導光板３２とを備える。光源３１は、所定の方向Ｂに光を出射する。導光板３２は、側面３２ａと、一方の主面である出射面３２ｂと、他方の主面である裏面３２ｃとを有し、裏面３２ｃまたは出射面３２ｂに錐形状の光偏向部３３（３４）が形成され、光源３１から側面３２ａに入射される光を出射面３２ｂから出射する。そして、光偏向部３３（３４）が形成される面（裏面３２ｃまたは出射面３２ｂ）を平面視した場合に、光偏向部３３（３４）の頂点３３ｂ（３４ｂ）が、光偏向部３３の底面３３ａにおける対角線３３ｃ、３３ｄ、または光偏向部３４の底面３４ａに内接する多角形（内接四角形３４ａ１）の対角線３４ｃ、３４ｄを基準として描いた外接長方形Ｃの中心Ｃ１に対して、外接長方形Ｃの一辺（短辺Ｃ２）と平行にシフトして配置される。これにより、斜め方向に配光性の高い光を出射させることができる。
【００６１】
また、実施形態に係る面状照明装置３０は、光源３１と、導光板３２とを備える。光源３１は、所定の方向Ｂに光を出射する。導光板３２は、側面３２ａと、一方の主面である出射面３２ｂと、他方の主面である裏面３２ｃとを有し、裏面３２ｃまたは出射面３２ｂに錐形状の光偏向部３３（３４）が形成され、光源３１から側面３２ａに入射される光を出射面３２ｂから出射する。そして、光偏向部３３（３４）が形成される面（裏面３２ｃまたは出射面３２ｂ）を平面視した場合に、光偏向部３３の底面３３ａにおける対角線３３ｃ、３３ｄ、または光偏向部３４の底面３４ａに内接する多角形（内接四角形３４ａ１）の対角線３４ｃ、３４ｄが、所定の方向Ｂに対して傾斜する。これにより、斜め方向に配光性の高い光を出射させることができる。
【００６２】
また、実施形態に係る面状照明装置３０において、光偏向部３３は、四角錐形状を有し、頂点３３ｂが外接長方形Ｃの中心Ｃ１に対して、外接長方形Ｃの短辺Ｃ２と平行な方向にシフトして配置される。これにより、斜め方向に配光性の高い光を出射させることができる。
【００６３】
また、実施形態に係る面状照明装置３０において、光偏向部３３は、頂点３３ｂが、外接長方形Ｃの短辺Ｃ２と平行な方向のうち、外接長方形Ｃの中心Ｃ１に対して、出射面から出射された光が受光されるエリアである受光エリア５０から遠ざかる方向にシフトして配置される。これにより、斜め方向にさらに配光性の高い光を出射させることができる。
【００６４】
また、実施形態に係る面状照明装置３０において、光偏向部３４は、斜面が曲面となる錐体形状を有し、頂点３４ｂが外接長方形Ｃの中心Ｃ１に対して、外接長方形Ｃの短辺Ｃ２と平行な方向にシフトして配置される。これにより、斜め方向に配光性の高い光を出射させることができる。
【００６５】
また、実施形態に係る面状照明装置３０において、光偏向部３４は、頂点３４ｂが、外接長方形Ｃの短辺Ｃ２と平行な方向のうち、外接長方形Ｃの中心Ｃ１に対して、出射面から出射された光が受光されるエリアである受光エリア５０に近づく方向にシフトして配置される。これにより、斜め方向にさらに配光性の高い光を出射させることができる。
【００６６】
また、上記実施の形態により本発明が限定されるものではない。上述した各構成素を適宜組み合わせて構成したものも本発明に含まれる。また、さらなる効果や変形例は、当業者によって容易に導き出すことができる。よって、本発明のより広範な態様は、上記の実施の形態に限定されるものではなく、様々な変更が可能である。
【符号の説明】
【００６７】
１    サンバイザー,  １０  基体,  ２０  バニティーミラー,  ３０  面状照明装置,  ３１  光源,  ３２  導光板,  ３２ａ  側面,  ３２ｂ  出射面,  ３２ｃ  裏面,  
３３、３４  光偏向部,  ３３ａ、３４ａ  底面,  ３４ａ１  内接四角形,  
３３ｂ、３４ｂ  頂点,  ３３ｃ、３３ｄ、３４ｃ、３４ｄ  対角線,  ４０  蓋体,
Ｃ    外接長方形,  Ｃ１  中心,  Ｃ２  短辺
【図１】
2018198152.tif 000003
【図２Ａ】
2018198152.tif 000004
【図２Ｂ】
2018198152.tif 000005
【図２Ｃ】
2018198152.tif 000006
【図２Ｄ】
2018198152.tif 000007
【図２Ｅ】
2018198152.tif 000008
【図３】
2018198152.tif 000009
【図４】
2018198152.tif 000010
【図５】
2018198152.tif 000011
【図６Ａ】
2018198152.tif 000012
【図６Ｂ】
2018198152.tif 000013
【図７Ａ】
2018198152.tif 000014
【図７Ｂ】
2018198152.tif 000015
【図８Ａ】
2018198152.tif 000016
【図８Ｂ】
2018198152.tif 000017